(57)【要約】【課題】隣り合う遊技機で遊戯する人からのタバコの煙等が流れ込むのをより確実に防止する遊技媒体貸出機を得る。【解決手段】送風ユニット３６から供給される空気を筐体１に設けられたダクト５８，６０を介して上部前面パネル２２と下部前面パネル４８とに形成された空気吹出口２６，２８，５４，５６から吹き出す。送風ユニット３６は筐体１内に設けられ、送風ユニット３６は、下部前面パネル４８に設けられた遊技媒体の払出口５０を介して外部の空気を吸い込み、ダクト５８，６０に供給する。ダクト５８，６０は、筐体１の側板２，４と側板２，４に取り付けられたダクト板６２，６４とにより形成された。【選択図】  図１
2006150043.tif 000002
【特許請求の範囲】
【請求項１】
遊技機に隣接して設置され、投入された貨幣に応じた遊技媒体を払い出す遊技媒体貸出機において、
供給される空気を筐体に設けられたダクトを介して前面パネルに形成された空気吹出口から吹き出すことを特徴とする遊技媒体貸出機。
【請求項２】
前記空気は、前記筐体内に設けられた送風ユニットから供給されることを特徴とする請求項１に記載の遊技媒体貸出機。
【請求項３】
前記空気は、外部に設けられた送風ユニットから供給されることを特徴とする請求項１に記載の遊技媒体貸出機。
【請求項４】
前記送風ユニットは、前記前面パネルに設けられた前記遊技媒体の払出口を介して外部の空気を吸い込み、前記ダクトに供給することを特徴とする請求項２に記載の遊技媒体貸出機。
【請求項５】
前記ダクトは、前記筐体の側板と該側板に取り付けられたダクト板とにより形成されたことを特徴とする請求項１ないし請求項４に記載の遊技媒体貸出機。
【発明の詳細な説明】
【技術分野】
【０００１】
本発明は、パチンコ玉やメダル等の遊技媒体を使用するパチンコ機やスロットルマシン等の遊技機に隣接して設けられ、遊技機に使用する遊技媒体を払い出す遊技媒体貸出機に関する。
【背景技術】
【０００２】
従来より、遊技場では、遊技場内全体を空調機により温度調節すると共に、空気清浄機を設けて、遊技場内の空気を清浄に保つようにしているが、各遊技機で遊戯している人が吸うタバコの煙等が隣の遊技機で遊戯している人に向かって流れてしまい、不快な思いをする場合があった。
【０００３】
そこで、特許文献１にあるように、各遊技機毎に、上方の幕板に取り付けられる呼出ランプにファンユニットを取り付けて、隣の遊技機で遊戯している人からの影響を受けないようにしたものが提案されている。
【特許文献１】特開平１０−２９５９１７号公報
【発明の開示】
【発明が解決しようとする課題】
【０００４】
しかしながら、こうした従来のものでは、呼出ランプが各遊技機で遊戯する人の頭部上側にあり、呼出ランプから空気を吹き出しても、隣り合う遊技機で遊戯する人からのタバコの煙等が流れ込むのを十分に防止することができないという問題があった。
【０００５】
本発明の課題は、隣り合う遊技機で遊戯する人からのタバコの煙等が流れ込むのをより確実に防止する遊技媒体貸出機を提供することにある。
【課題を解決するための手段】
【０００６】
かかる課題を達成すべく、本発明は課題を解決するため次の手段を取った。即ち、
遊技機に隣接して設置され、投入された貨幣に応じた遊技媒体を払い出す遊技媒体貸出機において、
供給される空気を筐体に設けられたダクトを介して前面パネルに形成された空気吹出口から吹き出すことを特徴とする遊技媒体貸出機がそれである。
【０００７】
前記空気は、前記筐体内に設けられた送風ユニットから供給される構成でもよく、あるいは、前記空気は、外部に設けられた送風ユニットから供給される構成でもよい。また、前記送風ユニットは、前記前面パネルに設けられた前記遊技媒体の払出口を介して外部の空気を吸い込み、前記ダクトに供給するようにしてもよい。更に、前記ダクトは、前記筐体の側板と該側板に取り付けられたダクト板とにより形成された構成とするとよい。
【発明の効果】
【０００８】
本発明の遊技媒体貸出機は、前面パネルに形成された空気吹出口から空気を吹き出すので、隣り合う遊技機で遊戯する人からのタバコの煙等が流れ込むのをより確実に防止するという効果を奏する。
【発明を実施するための最良の形態】
【０００９】
以下本発明を実施するための最良の形態を図面に基づいて詳細に説明する。
図１に示すように、１は筐体で、筐体１は図示しない遊技機の台間に設置できるように、縦長の直方体状に形成されている。筐体１は、両側板２，４と、両側板２，４の下側を繋ぐ底板６と、両側板２，４の上側を繋ぐ天井板８とを備えている。
【００１０】
筐体１の前面側と後面側とは開口されると共に、内部は中空に形成されている。筐体１の後面側の開口には、後面板１０が取り付けられて、閉塞される。筐体１の上部には貨幣識別ユニット１２が挿入配置されると共に、貨幣識別ユニット１２の下側には制御ユニット１４が挿入配置される。
【００１１】
筐体１の前面側の開口の上部には、貨幣識別ユニット１２と制御ユニット１４との前面側を覆う上部前面パネル２２が着脱可能に取り付けられる。上部前面パネル２２には、貨幣投入口２４が形成されており、貨幣投入口２４に投入された貨幣が貨幣識別ユニット１２に取り込まれて、貨幣識別ユニット１２が貨幣が投入されたと識別すると、識別信号を制御ユニット１４に出力する。制御ユニット１４は、識別信号が入力されると、貨幣に応じた複数枚の遊技媒体を払い出す払出信号を出力する。
【００１２】
上部前面パネル２２には、２つの空気吹出口２６，２８が形成されている。この空気吹出口２６，２８は、筐体１の両側板２，４側に、筐体１の両側板２，４側に沿って形成されている。両空気吹出口２６，２８は、縦長で扁平に、かつ、両空気吹出口２６，２８は平行に形成されている。
【００１３】
３０はホッパーユニットで、ホッパーユニット３０は入力される払出信号に応じて、計数した複数枚の遊技媒体を吐出口３２から払い出すものである。ホッパーユニット３０は筐体１の内部に、前面側の開口から挿入可能に形成されている。ホッパーユニット３０には、その上部にホッパー部３４が設けられており、ホッパー部３４に遊技媒体が投入され、吐出口３２から払い出される。
【００１４】
ホッパーユニット３０の下側には、送風ユニット３６が配置されており、送風ユニット３６は、筐体１の内部に、前面側の開口から挿入可能に形成されている。送風ユニット３６には、前面側に、空気取入口３８が形成されると共に、送風ユニット３６の上側で、筐体１の両側板２，４に沿って、空気吐出口４０，４２が縦長で扁平に形成されている。
【００１５】
送風ユニット３６は、図４に示すように、内部に設けられたファン４４の回転により、空気取入口３８から吸入した空気を空気吐出口４０，４２から吐出する。また、空気取入口３８とファン４４との間にはフィルタ４６が設けられており、フィルタ４６により吸い込んだ空気を清浄して、空気吐出口４０，４２から吐出する。
【００１６】
尚、フィルタ４６に代えて、あるいは、フィルタ４６と共に、二酸化チタン等を用いた光触媒を配置して、吸い込んだ空気の脱臭、殺菌等を図るようにしてもよい。また、吐出する空気に、芳香剤や消臭剤等を含ませるように構成してもよい。更に、マイナスイオン等を発生するイオン発生器を設けてもよく、しかも、芳香剤と共にマイナスイオンを空気に含ませて、空気吐出口４０，４２から吐出するようにしてもよい。
【００１７】
筐体１の前面側の開口の下部を塞ぐ下部前面パネル４８が、筐体１に着脱可能に設けられている。この下部前面パネル４８には、下側に払出口５０が設けられており、払出口５０には、受け皿５２が設けられている。ホッパーユニット３０の吐出口３２と受け皿５２とが接続されて、遊技媒体が受け皿５２に払い出されるように構成されている。また、払出口５０と、送風ユニット３６の空気取入口３８とは、対向する位置に設けられている。
【００１８】
下部前面パネル４８にも、２つの空気吹出口５４，５６が形成されている。この空気吹出口５４，５６は、筐体１の両側板２，４側に、筐体１の両側板２，４に沿って形成されている。両空気吹出口５４，５６は、縦長で扁平に、かつ、両空気吹出口５４，５６は平行に形成されている。
【００１９】
一方、筐体１の両側板２，４の内側には、それぞれダクト５８，６０が設けられている。両ダクト５８，６０は、両側板２，４の内側にダクト板６２，６４を取り付けて形成されており、空気通路が形成されるように、ダクト板６２，６４の一部が筐体１の内側に膨らまされている。即ち、図３に示すように、側板２に取り付けられたダクト板６２は両端が側板２に溶接等により固定されると共に、中程が膨らまされて、空気通路が形成されている。
【００２０】
ダクト５８，６０は、送風ユニット３６の空気吐出口４０，４２と、上部前面パネル２２の空気吹出口２６，２８及び下部前面パネル４８の空気吹出口５４，５６とを接続して、送風ユニット３６から吐出される空気を、各空気吹出口２６，２８，５４，５６に導くように構成されている。
【００２１】
また、ダクト５８，６０は、両側板２，４と両ダクト板６２，６４とにより形成されており、空気通路を扁平に形成することにより、貨幣識別ユニット１２、制御ユニット１４、ホッパーユニット３０を筐体１に挿入する際に、これらと干渉しないように構成できる。更に、既設の遊技媒体貸出機と前述したダクト５８，６０を設けた遊技媒体貸出機との幅寸法を同じに形成することができ、これらを入れ替えることができるように構成することもできる。
【００２２】
次に、前述した本実施形態の遊技媒体貸出機の作動について説明する。
まず、貨幣が貨幣投入口２４から投入されると、貨幣識別ユニット１２が貨幣を識別して、制御ユニット１４に識別信号を出力する。制御ユニット１４は、識別信号を受けて、貨幣に応じた払出信号をホッパーユニット３０に出力する。ホッパーユニット３０は払出信号を受けて、貨幣に応じた複数枚の遊技媒体を計数して、複数の遊技媒体を吐出口３２から払い出す。遊技媒体は、吐出口３２から受け皿５２に払い出される。
【００２３】
また、送風ユニット３６により、ファン４４が回転すると、払出口５０から空気取入口３８を介して空気を取り入れ、フィルタ４６により空気から塵埃等を取り除いた後、空気吐出口４０，４２から吐出する。空気吐出口４０，４２から吐出された空気は、ダクト５８，６０を介して、各空気吹出口２６，２８，５４，５６に導かれ、各空気吹出口２６，２８，５４，５６から清浄な空気が吹き出される。
【００２４】
空気が、上部前面パネル２２の空気吹出口２６，２８及び下部前面パネル４８の空気吹出口５４，５６から吹き出されるので、隣の遊技機との間にエアカーテンが形成され、隣で遊戯している人のタバコの煙等が流れ込むのを阻止して、快適に遊技に集中することができる。
【００２５】
次に、前述した実施形態と異なる第２実施形態について、図５によって説明する。尚、前述した実施形態と同じ部材については同一番号を付して、詳細な説明を省略する。
本第２実施形態では、送風ユニット８０は、遊技媒体貸出機の外部に設けられており、図示しない複数の遊技機の間に配置された各遊技媒体貸出機に沿って、送風ユニット８０に接続された大径ダクト８２が設けられている。この大径ダクト８２から各遊技媒体貸出機に小径ダクト８４が接続されている。送風ユニット８０内にはファン８６が設けられている。
【００２６】
各遊技媒体貸出機には、筐体１に小径ダクト８４に接続するダクト８８（一方のみ図示する）がそれぞれ形成されている。このダクト８８は、前述した実施形態と同様に、筐体１の両側板２，４の内側に設けられ、両側板２，４とダクト板９０（一方のみ図示する）とにより形成されている。ダクト８８は、小径ダクト８４と上部前面パネル２２の空気吹出口２６，２８及び下部前面パネル４８の空気吹出口５４，５６とを接続するように形成されている。
【００２７】
送風ユニット８０から吐出された空気は、大径ダクト８２、小径ダクト８４を通って各ダクト８８に供給される。ダクト８８に供給された空気は、ダクト８８内を通って、各空気吹出口２６，２８，５４，５６に導かれ、各空気吹出口２６，２８，５４，５６から清浄な空気が吹き出される。
【００２８】
この第２実施形態の場合でも、前述したと同様に、空気が、上部前面パネル２２の空気吹出口２６，２８及び下部前面パネル４８の空気吹出口５４，５６から吹き出されるので、隣の遊技機との間にエアカーテンが形成され、隣で遊戯している人のタバコの煙等が流れ込むのを阻止して、快適に遊技に集中することができる。
【００２９】
また、送風ユニット８０を外部に設けることにより、冷房装置や暖房装置等を組み込むことが容易になり、吹き出す空気を冷却したり、加熱したりすることができる。更に、送風ユニット８０に内に、二酸化チタン等を用いた光触媒を配置して、吸い込んだ空気の脱臭、殺菌等を図るようにすることも容易である。あるいは、吐出する空気に、芳香剤や消臭剤等を含ませるように構成してもよい。更に、マイナスイオン等を発生するイオン発生器を設けてもよく、しかも、芳香剤と共にマイナスイオンを空気に含ませて、空気吐出口４０，４２から吐出するように構成することも容易である。
【００３０】
以上本発明はこの様な実施形態に何等限定されるものではなく、本発明の要旨を逸脱しない範囲において種々なる態様で実施し得る。
【図面の簡単な説明】
【００３１】
【図１】本発明の一実施形態としての遊技媒体貸出機の分解斜視図である。
【図２】本実施形態の遊技媒体貸出機の斜視図である。
【図３】本実施形態のダクトの拡大図である。
【図４】本実施形態の送風ユニットの説明図である。
【図５】第２実施形態の遊技媒体貸出機の斜視図である。
【符号の説明】
【００３２】
１…筐体              ２，４…側板
６…底板              ８…天井板
１０…後面板          １２…貨幣識別ユニット
１４…制御ユニット    ２２…上部前面パネル
２６，２８，５４，５６…空気吹出口
３０…ホッパーユニット
３２…吐出口          ３６，８０…送風ユニット
３８…空気取入口      ４０，４２…空気吐出口
４４，８６…ファン    ４６…フィルタ
４８…下部前面パネル  ５０…払出口
５２…受け皿
５８，６０，８８…ダクト
６２，６４，９０…ダクト板
８２…大径ダクト      ８４…小径ダクト
【図１】
2006150043.tif 000003
【図２】
2006150043.tif 000004
【図３】
2006150043.tif 000005
【図４】
2006150043.tif 000006
【図５】
2006150043.tif 000007